(57)【要約】【課題】電子部品の体積を減らすとともに、モータの電磁放射を有効に減らすプリント回路基板及びモータを提供する。【解決手段】プリント回路基板は、本体と、本体の第１の表面に配置された第１の導電パターン層と、本体の第２の表面に配置された第２の導電パターン層とを含む。第１の導電パターン層及び第２の導電パターン層は、コンデンサを形成する。本開示は、プリント回路基板を有するモータをさらに提供する。【選択図】図１
2017220665.tif 000002
【特許請求の範囲】
【請求項１】
プリント回路基板であって、
本体と、
前記本体の第１の表面に配置された第１の導電パターン層と、
前記本体の向かい側の第２の表面に配置された第２の導電パターン層とを備え、前記第１の導電パターン層及び前記第２の導電パターン層は、コンデンサを形成する、ことを特徴とするプリント回路基板。
【請求項２】
前記本体の前記第１の表面は、前記第１の導電パターン層によって部分的に覆われる、請求項１に記載のプリント回路基板。
【請求項３】
前記本体の中心領域に位置穴が定まり、前記第１の導電パターン層は、前記位置穴の２つの向かい側の側面に配置される、請求項１に記載のプリント回路基板。
【請求項４】
前記第２の導電パターン層は、前記本体の前記第２の表面を完全に覆っている、請求項１に記載のプリント回路基板。
【請求項５】
前記第１の導電パターン層及び前記第２の導電パターン層は、金属コーティング層である、請求項１に記載のプリント回路基板。
【請求項６】
前記本体のうち前記第１の導電パターン層によって覆われた部分に、電源貫通スロットが定まり電力端子に接続する、請求項３に記載のプリント回路基板。
【請求項７】
前記本体のうち前記第１の導電パターン層によって覆われない部分に、接地貫通スロットが定まり前記プリント回路基板を接地する、請求項３に記載のプリント回路基板。
【請求項８】
前記本体に、複数の構成部品貫通穴が前記電子部品に接続するために定まる、請求項１に記載のプリント回路基板。
【請求項９】
プリント回路基板であって、
上面にコンデンサが形成された本体を備え、前記コンデンサは、
前記本体の第１の表面上に配置された第１の導電パターン層と、
向かい側の第２の表面に配置された第２の導電パターン層とを備える、ことを特徴とするプリント回路基板。
【請求項１０】
請求項１〜９の何れかの１つに記載のプリント回路基板を備える、ことを特徴とするモータ。
【発明の詳細な説明】
【技術分野】
【０００１】
[0002]  本開示は、駆動装置に、特にプリント回路基板、及びプリント回路基板を使用するモータに関する。
に関する。
【背景技術】
【０００２】
[0003]  モータ用のプリント回路基板では、一般に、コンデンサ及び抵抗器のような電子部品は、プリント回路基板に直接溶接される。これらの電子部品、及びプリント回路基板上に設置された構成部品間の隙間のサイズが大きいことにより、プリント回路基板のサイズが大きくなる。さらに、これらの電子部品はピンを通じて接地され、ピン自体の寄生インダクタンス及び寄生静電容量は、モータの大きな電磁放射につながる。
【発明の概要】
【０００３】
[0004]  本開示のいくつかの特徴及び利点は、次の説明に記載され、又は説明から明らかであり、又は本開示の実施を通じて知ることができる。
【０００４】
[0005]  本開示は、本体と、本体の第１の表面に配置された第１の導電パターン層と、本体の向かい側の第２の表面に配置された第２の導電パターン層とを備える、プリント回路基板を提供する。第１の導電パターン層及び第２の導電パターン層は、コンデンサを形成する。
【０００５】
[0006]  本体の第１の表面は、第１の導電パターン層によって部分的に覆われることが好ましい。
【０００６】
[0007]  本体の中心領域に位置穴が定まり、第１の導電パターン層は、位置穴の２つの向かい側の側面に配置されることが好ましい。
【０００７】
[0008]  第２の導電パターン層は、本体の第２の表面を完全に覆っていることが好ましい。
【０００８】
[0009]  第１の導電パターン層及び第２の導電パターン層は、金属コーティング層であることが好ましい。
【０００９】
[0010]  本体のうち第１の導電パターン層によって覆われた部分に、電源貫通スロットが定まり電源端子に接続することが好ましい。
【００１０】
[0011]  本体のうち第１の導電パターン層によって覆われない部分に、接地貫通スロットが定まりプリント回路基板を接地することが好ましい。
【００１１】
[0012]  本体に、複数の構成部品貫通穴が電子部品に接続するために定まることが好ましい。
【００１２】
[0013]  本開示は、上面にコンデンサが形成された本体を備えるプリント回路基板をさらに提供する。コンデンサは、本体の第１の表面上に配置された第１の導電パターン層と、向かい側の第２の表面に配置された第２の導電パターン層とを備える。
【００１３】
[0014]  本開示は、上記プリント回路基板を備えるモータをさらに提供する。
【００１４】
[0015]  本開示のプリント回路基板、及びプリント回路基板を含むモータによれば、第１の導電パターン層及び第２の導電パターン層は、プリント回路基板の本体上に直接形成されてコンデンサを形成し、それによって電子部品の体積を減らす。さらに、コンデンサは、接地するために電子部品のピンを使用することなく、接地貫通スロットを通じて直接接地され、それによってモータの電磁放射を有効に減らす。
【００１５】
[0016]  この開示を読むことによって、当業者は、技術的解決策の特徴及び内容をより良く理解することができる。
【００１６】
[0017]  本開示の利点及び実施をより明からにするために、本開示の実施形態が、以下に図面を参照して詳細に記載される。図面に例示した内容は、本開示を限定することなく、本開示を説明及び例示するためだけに使用される。
【図面の簡単な説明】
【００１７】
【図１】本開示のプリント回路基板の１つの実施形態の斜視図である。
【図２】図１に示したプリント回路基板の積層構造を示す概略図である。
【図３】本開示のモータの１つの実施形態の分解組立図である。
【図４】本開示のモータの放射ＥＭＩテストを示す概略図である。
【図５】従来のモータの放射ＥＭＩテストを示す概略図である。
【発明を実施するための形態】
【００１８】
[0023]  本開示の実施形態を詳細に記載する前に、本開示は、次の説明に記述され又は次の図面に例示された、構造の詳細及び構成部品の配置に限定されないことを理解されたい。本開示は、他の実施形態が可能である。本明細書で使用する語法及び用語は、説明目的のためであり、限定であるとみなすべきでないことも理解されたい。本明細書における「含む(including)」、「備える(comprising)」、「有する(having)」及びその派生語の使用は、以後列挙される品目及びその均等物の他に、追加の品目もまた包含することを意図する。特に、品目に関連する不定冠詞ａ又はａｎの使用は、品目の単一の１つの意味を持たず、むしろ、１つ以上のそのような品目を含むことができる。
【００１９】
[0024]  図１及び図２を参照して、本開示のプリント回路基板１０は本体１００を含む。本体１００は、第１の表面１０２と、反対側の第２の表面１０４とを含む。この実施形態では、本体１００は円板形の本体である。代替的に、本体１００は、四角形の本体又は別の形状の本体とすることができる。
【００２０】
[0025]  本体１００の中心に位置穴１０６が定まる。位置穴１０６は、プリント回路基板１０の応用環境に従う大きさにすることができる。例えば、プリント回路基板１０がモータに応用されるとき、位置穴１０６の大きさは、モータの回転軸の直径に従って決めることができる。
【００２１】
[0026]  第１の表面１０２に第１の導電パターン層１１０が配置され、第２の表面１０２に第２の導電パターン層１２０が配置される。第１の導電パターン層１１０は、第１の表面１０２を部分的に覆っている。第１の導電パターン層１１０は、第１の導電パターン副層１１２及び第２の導電パターン副層１１４を含み、それらは、位置穴１０６の２つの向かい側の側面に配置される。第２の導電パターン層１２０は、第２の表面１０４を完全に覆っている。第１の導電パターン層１１０、本体１００及び第２の導電パターン層１２０は、コンデンサ１３０を形成する。第１の導電パターン層１１０及び第２の導電パターン層１２０は、それぞれ、コンデンサ１３０の２つの電極として作用する。コンデンサ１３０の静電容量は、第１の導電パターン層１１０又は第２の導電パターン層１２０の面積を変更することによって調整できる。この実施形態では、コンデンサ１３０の静電容量は、単に第１の導電パターン層１１０の面積を変更することによって調整され、第１の導電パターン副層１１２の面積は、第２の導電パターン副層１１４の面積と等しい。コンデンサ１３０は、接地コンデンサであり、配線１４０を介して接地される。第１の導電パターン層１１０は配線１４０を介して接地される。
【００２２】
[0027]  この実施形態では、第１の導電パターン層１１０及び第２の導電パターン層１２０は、金属コーティング層である。金属コーティング層は、銅、銀及び金のような金属又は合金で作成することが好ましい。金属コーティング層の厚さは０．０３８ｍｍである。
【００２３】
[0028]  この実施形態では、本体１００は、ポリイミド、エポキシ樹脂などのような絶縁材料で作成される。
【００２４】
[0029]  本体１００のうち第１の導電パターン層１１０によって覆われた部分に、電源貫通スロット１１０２が定まり、電源端子に接続する。本体１００において第１の導電パターン副層１１２と第２の導電パターン副層１１４との間に、すなわち本体１００のうち第１の導電パターン層１１０によって覆われない別の部分に、接地貫通スロット１１０４が定まり、モータの外側ハウジングを通じて接地する。
【００２５】
[0030]  本体１００に、多数の構成部品取付穴１１０６が、インダクタ及びコンデンサのような電子部品を接続するためにさらに定まる。一部の構成部品取付穴１１０６は、本体１００のうち第１の導電パターン層１１０によって覆われた部分に配置され、他の構成部品取付穴１１０６は、本体１００のうち第１の導電パターン層１１０によって覆われない部分に配置される。この実施形態では、インダクタ及び抵抗器のような電子部品は、プリント回路基板１０の体積を減らす表面実装デバイスである。構成部品取付穴１１０６は円形貫通穴とすることができる。
【００２６】
[0031]  図３も参照して、図３は、本開示の１つの実施形態によるモータ２０の分解組立図である。モータ２０は、ステータ組立体２１０と、ステータ組立体２１０に回転可能に接続されかつ回転軸２２２を含むロータ組立体２２０と、ロータ組立体２２０を支持するためにステータ組立体２１０の端部に固定して取り付けたエンドキャップ組立体２３０と、プリント回路基板１０とを含む。回転軸２２２は位置穴１０６を通って延びている。この実施形態では、モータ２０は直流モータである。ステータ組立体２１０及びロータ組立体２２０は、互いに相互作用して、ロータ組立体２２０を回転させる磁界を発生する。回転軸２２２は、位置穴１０６及びエンドキャップ組立体２３０を通って延び、モータ２０によって発生した動力を出力する。
【００２７】
[0032]  本体１００は一対の切欠き１１８をさらに含み、それらは、第１の導電パターン副層１１２と第２の導電パターン副層１１４との間のリング部分に定まり、ステータ組立体２１０におけるプリント回路基板１０の設置を容易にする。
【００２８】
[0033]  エンドキャップ組立体２３０には接続端子２３２が備わる。電源貫通スロット１１０２は、電源電線（図示しない）を介して接続端子２３２に接続される。接地貫通スロット１１０４はステータ組立体２１０に接続される。
【００２９】
[0034]  図４及び図５も参照して、図４は、本開示のモータの放射ＥＭＩ（電磁妨害）テストを示す概略図である。図５は、従来のモータの放射ＥＭＩテストを示す概略図である。水平軸線の単位は、モータのＥＭＩの周波数を表わすＭＨｚである。垂直軸線の単位は、モータのＥＭＩの振幅を表わすｄＢｕＶ／ｍである。垂直軸線の値が小さいほど、モータのＥＭＩ抑制効果が良い。図４及び図５から分かるように、同じ周波数におけるＥＭＩに対して、コンデンサがプリント回路基板上に直接形成された本開示のモータの放射ＥＭＩは、従来のモータのそれよりも大幅に低い。
【００３０】
[0035]  本開示のプリント回路基板、及びプリント回路基板を有するモータでは、第１の導電パターン及び第２の導電パターンは、プリント回路基板の本体上に直接形成されて平板コンデンサを形成し、それによって電子部品の体積を減らす。さらに、コンデンサは、接地するために電子部品のピンを使用することなく、接地貫通スロットを通じて直接接地され、それによってモータの電磁放射を有効に減らす。
【００３１】
[0036]本開示の好ましい実施形態が図面を参照して記載された。当業者には、本開示の精神及び範囲から逸脱しない、様々な修正及び変更が明らかである。例えば、１つの実施形態に記載され又は図示された特徴の一部は、別の実施形態を得るために別の実施形態に応用することができる。上記説明は、単に本開示の好ましい実施形態であり、本開示の範囲を限定するために使用すべきでない。本開示の原理から逸脱しないどのような改善及び修正も、本開示の範囲に含まれる。
【００３２】
１０  プリント回路基板
１００  本体
１０２  第１の表面
１０４  第２の表面
１０６  位置孔
１１０  第１の導電パターン層
１１２  第１の導電パターン副層
１１４  第２の導電パターン副層
１４０  配線
１１０２  電源貫通スロット
１１０４  接地貫通スロット
１１０６  構成部品取付穴
【図１】
2017220665.tif 000003
【図２】
2017220665.tif 000004
【図３】
2017220665.tif 000005
【図４】
2017220665.tif 000006
【図５】
2017220665.tif 000007
【外国語明細書】
2017220665000001.pdf